(57)【要約】      （修正有）【課題】設置作業が簡易且つ迅速に行え、良好な使用状態が得られ、耐久性に秀れた融雪パネルを提供する。【解決手段】コンクリート製のパネル本体１内に長尺の発熱体２が設けられた融雪パネルＡであって、パネル本体１の端部にはパネル本体１の下方及び側方が開口する凹条部３が設けられ、この凹条部３にはコ字状補強部材４がコ字状補強部材４の開口が下方を向く状態に設けられ、また、凹条部３内には発熱体２の端部が突出状態に設けられており、複数のパネル本体１を並設した際、隣接するパネル本体１の凹条部３の側方同士が連通状態となるように構成されたものである。【選択図】図１
0003227343.tif 000002
【実用新案登録請求の範囲】
【請求項１】
コンクリート製のパネル本体内に長尺の発熱体が設けられた融雪パネルであって、前記パネル本体の端部には該パネル本体の下方及び側方が開口する凹条部が設けられ、この凹条部にはコ字状補強部材が該コ字状補強部材の開口が下方を向く状態に設けられ、また、前記凹条部内には前記発熱体の端部が突出状態に設けられており、複数の前記パネル本体を並設した際、隣接する前記パネル本体の凹条部の側方同士が連通状態となるように構成されていることを特徴とする融雪パネル。
【請求項２】
請求項１記載の融雪パネルであって、前記コ字状補強部材は適宜な金属製であることを特徴とする融雪パネル。
【請求項３】
請求項１，２いずれか１項に記載の融雪パネルであって、前記コ字状補強部材には、突体が設けられ、この突体は、前記パネル本体内に埋設されていることを特徴とする融雪パネル。
【請求項４】
請求項１〜３いずれか１項に記載の融雪パネルであって、前記コ字状補強部材には、前記凹条部内に突出する前記発熱体の貫通を許容する孔が設けられていることを特徴とする融雪パネル。
【請求項５】
請求項１〜４いずれか１項に記載の融雪パネルであって、前記発熱体は通電により発熱する電熱線であることを特徴とする融雪パネル。
【考案の詳細な説明】
【技術分野】
【０００１】
本考案は、融雪パネルに関するものである。
【背景技術】
【０００２】
従来から、特許文献１に開示されるようなコンクリート製の融雪パネル（以下、従来例という。）が提案されている。
【０００３】
この従来例は、コンクリート製のパネル本体内に温水供給源から供給される温水を通過せしめる温水パイプを埋設したものであり、パネル本体のコーナー部には切欠部が設けられ、この切欠部内には温水パイプの端部が突出状態に設けられており、この切欠部に突出せしめられた温水パイプの端部を温水供給源や他のパネルの温水パイプの端部と接続し、この状態で、温泉供給源から温水を供給することで各温水パイプは発熱する。
【０００４】
従って、従来例は、パネル本体の上面の雪を融かすことができ、しかも、その数を選択することで融雪領域の面積を可変することができる。
【先行技術文献】
【特許文献】
【０００５】
【特許文献１】特開昭６４−３６８０３号公報
【考案の概要】
【考案が解決しようとする課題】
【０００６】
本出願人は、前述したコンクリート製のパネル本体内に長尺の発熱体が設けられた構造の融雪パネルについて更なる開発を進めた結果、従来に無い実用的な融雪パネルを考案した。
【課題を解決するための手段】
【０００７】
添付図面を参照して本考案の要旨を説明する。
【０００８】
コンクリート製のパネル本体１内に長尺の発熱体２が設けられた融雪パネルであって、前記パネル本体１の端部には該パネル本体１の下方及び側方が開口する凹条部３が設けられ、この凹条部３にはコ字状補強部材４が該コ字状補強部材４の開口が下方を向く状態に設けられ、また、前記凹条部３内には前記発熱体２の端部が突出状態に設けられており、複数の前記パネル本体１を並設した際、隣接する前記パネル本体１の凹条部３の側方同士が連通状態となるように構成されていることを特徴とする融雪パネルに係るものである。
【０００９】
また、請求項１記載の融雪パネルであって、前記コ字状補強部材４は適宜な金属製であることを特徴とする融雪パネルに係るものである。
【００１０】
また、請求項１，２いずれか１項に記載の融雪パネルであって、前記コ字状補強部材４には、突体４’が設けられ、この突体４’は、前記パネル本体１内に埋設されていることを特徴とする融雪パネルに係るものである。
【００１１】
また、請求項１〜３いずれか１項に記載の融雪パネルであって、前記コ字状補強部材４には、前記凹条部３内に突出する前記発熱体２の貫通を許容する孔４ｂ’が設けられていることを特徴とする融雪パネルに係るものである。
【００１２】
また、請求項１〜４いずれか１項に記載の融雪パネルであって、前記発熱体２は通電により発熱する電熱線２’であることを特徴とする融雪パネルに係るものである。
【考案の効果】
【００１３】
本考案は上述のように構成したから、設置作業が簡易且つ迅速に行え、しかも、良好な使用状態が得られ、そして更に、極めて耐久性に秀れるなど、従来に無い実用的な融雪パネルとなる。
【図面の簡単な説明】
【００１４】
【図１】本実施例を示す斜視図である。
【図２】本実施例の要部の拡大断面図である。
【図３】本実施例の要部の説明図である。
【図４】本実施例の使用状態説明図である。
【考案を実施するための形態】
【００１５】
好適と考える本考案の実施形態を、図面に基づいて本考案の作用を示して簡単に説明する。
【００１６】
例えば、本考案に係る融雪パネルを複数並設して使用する場合、この隣接する融雪パネルにおける発熱体２の端部同士を接続するとともに、例えば発熱体２が電熱線の場合には、少なくとも一つの融雪パネルにおける発熱体２の端部に電源を接続する。
【００１７】
この状態で、例えば降雪時に電源から通電することで各発熱体２は発熱し、各パネル本体１の上面の雪は融ける。
【００１８】
本考案は、パネル本体１の端部には該パネル本体１の下方及び側方が開口する凹条部３が設けられ、この凹条部３にはコ字状補強部材４が該コ字状補強部材４の開口が下方を向く状態に設けられ、また、凹条部３内には発熱体２の端部が突出状態に設けられており、複数のパネル本体１を並設した際、隣接するパネル本体１の凹条部３の側方同士が連通状態となるように構成されている。
【００１９】
この構成から、例えば隣接する融雪パネルにおける発熱体２の端部同士の接続は連通状態となる凹条部３内で良好に行なうことができ、つまり、発熱体２の端部同士を接続するに十分なスペースが確保されている為、該発熱体２の端部同士の接続作業が行い易く、よって、設置作業が簡易且つ迅速に行えることになる。
【００２０】
また、本考案は、側方が開口する凹条部３を利用して例えば配線や配管を通すことができるなど、良好な使用状態が得られる。
【００２１】
また、本考案は、凹条部３はコ字状補強部材４が設けられる為、極めて耐久性に秀れることになる。
【実施例】
【００２２】
本考案の具体的な実施例について図面に基づいて説明する。
【００２３】
本実施例は、コンクリート製のパネル本体１内に長尺の発熱体２が設けられた融雪パネルＡであり、例えば玄関前通路や駅のプラットホーム（乗車位置）や歩道や建築物（屋根・壁）など、任意の融雪したい領域に配設される。
【００２４】
以下、本実施例に係る構成各部について詳細な説明をする。
【００２５】
パネル本体１は、図１に図示したようにコンクリート部材を成形して設けられた平面視方形状の板状体であり、後述する製造方法により、内部には発熱体２及び鉄筋５が設けられている。
【００２６】
また、パネル本体１の端部（一の短手端部）には、下方及び左右側方が開口する凹条部３が設けられており、この凹条部３は、複数のパネル本体１を並設した際、隣接するパネル本体１の凹条部３の側方同士が連通状態となるように構成されている。
【００２７】
従って、後述するように凹条部３を利用して発熱体２の端部同士を接続できる他、この左右側方が開口する凹条部３を利用して例えば配線８や配管を通すことができるなど、良好な使用状態が得られる（図３参照）。
【００２８】
また、凹条部３にはコ字状補強部材４が該コ字状補強部材４の開口が下方を向く状態に設けられている。
【００２９】
本実施例では、後述する製造方法により、パネル本体１の端部下方位置にコ字状補強部材４により補強された凹条部３が設けられる。
【００３０】
尚、パネル本体１の端部に下向き凹段部を設けておき、この下向き凹段部にコ字状補強部材４を付設して凹条部３とする構成としても良い。
【００３１】
コ字状補強部材４は、図１，２に図示したように適宜な金属製の板部材（鉄製板材）を折曲形成したものであり、パネル本体１の端部（一の短手端部）と同一の長さを有する長尺平板状の基板部４ａと、この基板部４ａの長手端部に垂設される垂下部４ｂとで構成されている。尚、このコ字状補強部材４の表面は溶融亜鉛メッキ仕上げが施されている。
【００３２】
また、パネル本体１の内方側に位置せしめる垂下部４ｂの所定位置には、後述する発熱体２（電気コード２”）を貫通する孔４ｂ’が設けられている。
【００３３】
また、コ字状補強部材４には、突体４’が設けられ、この突体４’は、パネル本体１内に埋設されている。
【００３４】
この突体４’は、図２に図示したように適宜な金属製の棒部材で構成され、本実施例では、この棒部材をコ字状補強部材４の長手方向等間隔の位置に複数本（３〜４本）溶接している。
【００３５】
従って、この突体４’がパネル本体１内に埋設されることで、パネル本体１とコ字状補強部材４との一体化を堅固にすることができる。尚、突体４’の表面に凹凸を設けることでパネル本体１との一体化をより堅固にするようにしても良い。
【００３６】
発熱体２は、図１〜３に図示したように通電により発熱する電熱線２’（ヒーターケーブル）と、この電熱線２’の両端部に接続される電気コード２”とで構成されており、この発熱体２の両端部となる電気コード２”の先端部にはコネクタ２ａ（一方が凸コネクタ、他方が凹コネクタ）が設けられている。
【００３７】
符号２ｂは、電熱線２’と電気コード２”とを接続する切替ケース（ブッシング）、６は電源７に接続する電源コードである。
【００３８】
尚、本実施例では、発熱体２を電熱線２’としたが、発熱体２を温泉パイプとし、温水供給源から供給される温水を通過させて発熱する構成としても良い。
【００３９】
以下、本実施例に係る融雪パネルＡの製造方法について説明する。
【００４０】
まず、上面が開放された箱状の型枠（周辺型枠）を組む。この型枠の内面には剥離剤が塗布される。
【００４１】
続いて、型枠内に、格子状に加工された鉄筋５（加工鉄筋）に発熱体２（電熱線２’）を蛇行させた状態で固定したものを配設する。尚、型枠内に配した鉄筋５に発熱体２を固定するようにしても良い。
【００４２】
続いて、型枠にコ字状補強部材４を配設する。この際、コ字状補強部材４の孔４ｂ’を貫通させた電気コード２”と電熱線２’とを接続する。尚、型枠に鉄筋を配設する前にコ字状補強部材４を配設しても良い。
【００４３】
続いて、型枠内にコンクリート部材を流し込み、このコンクリート部材が硬化した後、脱型して製品を反転する。
【００４４】
以上の構成から成る本実施例に係る融雪パネルＡの使用方法について説明する。
【００４５】
複数の融雪パネルＡを融雪構造を設けたい設置箇所に敷設する。この際、隣接する融雪パネルＡにおける発熱体２の端部（電気コード２”のコネクタ２ａ）同士を接続するとともに、一つの融雪パネルＡにおける発熱体２の端部（電気コード２”のコネクタ２ａ）に電源コード６を接続する（図３参照）。
【００４６】
この状態で、降雪時に電源７から通電されると各発熱体２は発熱し、各パネル本体１の上面の雪は融ける（図４参照）。
【００４７】
本実施例は上述のように構成したから、例えば隣接する融雪パネルＡにおける発熱体２の端部同士の接続は連通状態となる凹条部３内で良好に行なうことができ、つまり、発熱体２の端部同士を接続するに十分なスペースが確保されている為、該発熱体２の端部同士の接続作業が行い易く、よって、設置作業が簡易且つ迅速に行えることになる。
【００４８】
また、本実施例は、左右側方が開口する凹条部３を利用して例えば配線８や配管を通すことができるなど、良好な使用状態が得られる。
【００４９】
また、本実施例は、凹条部３はコ字状補強部材４が設けられる為、極めて耐久性に秀れることになる。即ち、この種の製品（コンクリート製のパネル）は端部が破損し易く、本実施例のように端部に凹段部が設けられる場合は尚更である。この点、本実施例は、凹条部３はコ字状補強部材４が設けられる為、破損しにくく極めて耐久性に秀れることになる。
【００５０】
また、本実施例は、凹条部３内で発熱体２の端部同士の接続部位は上方が覆われた状態となるから、設置箇所へ設置した後は当該接続部位は保護された破損しにくい状態となる。
【００５１】
尚、本考案は、本実施例に限られるものではなく、各構成要件の具体的構成は適宜設計し得るものである。
【符号の説明】
【００５２】
１  パネル本体
２  発熱体
２’  電熱線
３  凹条部
４  コ字状補強部材
４’  突体
４ｂ’  孔
【図１】
0003227343.tif 000003
【図２】
0003227343.tif 000004
【図３】
0003227343.tif 000005
【図４】
0003227343.tif 000006
【手続補正書】
【提出日】令和2年6月1日(2020.6.1)
【手続補正１】
【補正対象書類名】実用新案登録請求の範囲
【補正対象項目名】請求項２
【補正方法】変更
【補正の内容】
【請求項２】
請求項１記載の融雪パネルであって、前記コ字状補強部材は金属製であることを特徴とする融雪パネル。
【手続補正２】
【補正対象書類名】明細書
【補正対象項目名】０００９
【補正方法】変更
【補正の内容】
【０００９】
また、請求項１記載の融雪パネルであって、前記コ字状補強部材４は金属製であることを特徴とする融雪パネルに係るものである。